(57)【要約】【課題】略水平方向または略傾斜方向に回転自在に配設した回転ドラム内で洗濯、すすぎ、脱水、乾燥などの各行程を逐次行うドラム式洗濯乾燥機において、冷却水ホースの開口部が水没した場合に水道管が負圧になっても、洗濯水や泡の浄水へ逆流するのを阻止し、浄水を汚染するのを防止する。【解決手段】略水平方向または略傾斜方向に回転中心軸を有する回転ドラム６を水槽４内に内包し、水槽４の開口部にドア５を設け、水槽４内に洗濯用給水弁１０により給水するとともに排水ポンプ１３により水槽４内の水を排水する。水槽４内に送風する送風機１６とヒータ１７とを連通し、水槽４内を除湿する熱交換器２１と冷却水ホース２２を連通し、冷却水ホース２２を介して熱交換器２１に冷却水用給水弁１１より給水する。冷却水ホース２２と熱交換器２１の経路の一部に貯水部２０を設け、貯水部２０を大気開放とする。【選択図】  図１
2004344373.tif 000002
【特許請求の範囲】
【請求項１】
略水平方向または略傾斜方向に回転中心軸を有する回転ドラムと、前記回転ドラムを内包する水槽と、前記水槽の開口部に設けたドアと、前記水槽内に給水する給水手段と、前記水槽内の水を排水する排水手段と、前記水槽内に送風する送風手段と、前記送風手段と連通した加熱手段と、前記水槽内を除湿する除湿手段と、前記除湿手段と連通した冷却水ホースと、前記冷却水ホースを介して前記除湿手段に給水する冷却水給水手段とを備え、前記冷却水ホースと前記除湿手段の経路の一部に貯水部を設け、前記貯水部を大気開放としたドラム式洗濯乾燥機。
【請求項２】
冷却水ホースを冷却水給水手段と直結し、除湿手段との間で大気に開放したバイパスを設けた請求項１記載のドラム式洗濯乾燥機。
【請求項３】
冷却水ホースを途中で分岐し、複数の除湿手段に給水するように構成した請求項１または２記載のドラム式洗濯乾燥機。
【請求項４】
貯水部の位置を除湿手段より高くした請求項１または２記載のドラム式洗濯乾燥機。
【請求項５】
貯水部から除湿手段までの冷却水ホースの引き回しを、常に徐々に低くした請求項１または２記載のドラム式洗濯乾燥機。
【請求項６】
冷却水ホースの分岐路を左右対称に構成した請求項３記載のドラム式洗濯乾燥機。
【発明の詳細な説明】
【０００１】
【発明の属する技術分野】
本発明は、略水平方向または略傾斜方向に回転自在に配設した回転ドラム内で洗濯、すすぎ、脱水、乾燥などの各行程を逐次行うドラム式洗濯乾燥機に関するものである。
【０００２】
【従来の技術】
従来、この種のドラム式洗濯乾燥機は図５に示すように構成していた。以下、その構成について説明する。
【０００３】
図５に示すように、洗濯乾燥機本体１は、内部に複数のサスペンション２とダンパー３とで水槽４を支持し、水槽４の開口部をドア５により開閉し、水槽４内に回転ドラム６を回転自在に配設し、この回転ドラム６を洗濯モータ７により駆動する。回転ドラム６に多数の通水孔８とバッフル９を設けている。洗濯乾燥機本体１に洗濯用給水弁（給水手段）１０と冷却水用給水弁１１を設けている。水槽４に排水口１２を設け、この排水口１２と排水ポンプ（排水手段）１３とを排水経路１４により連通している。
【０００４】
水槽４内に吹き出し口１５を介して送風機（送風手段）１６により送風し、この送風機１６にヒータ（加熱手段）１７を連通し、水槽４内と送風機１６とを熱交換器１８により連通し、冷却水用給水弁１１に直結した冷却水ホース１９を熱交換器１８に連通して、一連の乾燥循環経路を構成している（例えば、特許文献１参照）。
【０００５】
上記構成において洗濯・乾燥行程の動作を説明する。回転ドラム６内に洗濯物を投入し洗濯行程を開始すると、洗濯用給水弁１０が開き、水槽４内に所定の水位まで給水する。つぎに、回転ドラム６を約５０ｒ／ｍｉｎで回転駆動し、投入された衣類はバッフル８によって持ち上げられては落下を繰り返し、洗剤水と水面に落下したときの衝撃力によって洗浄される。洗濯行程が終わると、排水ポンプ１３を駆動し、洗濯水を排水経路１４を通して排水する。排水が終わると回転ドラム６を約１０００ｒ／ｍｉｎで高速回転し脱水を行う。さらに、脱水行程が終了すると乾燥行程へ移行する。
【０００６】
乾燥行程では、洗濯行程と同様に、回転ドラム６を回転駆動し、回転ドラム６内の洗濯物を撹拌しながら、送風機１６とヒータ１７によって加熱された熱風を回転ドラム６内の衣類に吹き出し口１５から吹き付け、衣類内に含まれた水分を加熱し蒸発させる。さらに、蒸気を含む高温の空気は熱交換器１８内に送られ、冷却水用給水弁１１から冷却水ホース１９を介して、熱交換器１８内に供給された冷却水と混合し、熱交換を行い冷却除湿される。さらに、除湿された空気はヒータ１７によって再び加熱され、回転ドラム６内に送られ衣類の乾燥を行う。これによって一連の乾燥サイクルを形成している。
【０００７】
【特許文献１】
特開平９−２１５８９３号公報
【０００８】
【発明が解決しようとする課題】
このような従来の構成において、洗濯行程にて給水によって水槽４内の水位が上がり、通常水位は水位設定手段（図示せず）により冷却水ホース１９の開口部より下に設定されるが、水位検知手段（図示せず）が故障したり、誤動作をすると、冷却水ホース１９の水槽４側への開口部が水没する場合がある。このとき、水道管が負圧になった場合、冷却水用給水弁１１に直結している冷却水ホース１９を介して、洗濯水が浄水（水道水）の配管内へ侵入し、これによって浄水を汚染するという問題を引き起こすことになる。
【０００９】
本発明は上記従来の課題を解決するもので、冷却水ホースの開口部が水没した場合に水道管が負圧になっても、洗濯水や泡の浄水へ逆流するのを阻止し、浄水を汚染するのを防止することを目的としている。
【００１０】
【課題を解決するための手段】
本発明は上記目的を達成するために、略水平方向または略傾斜方向に回転中心軸を有する回転ドラムを水槽内に内包し、水槽の開口部にドアを設け、水槽内に給水手段により給水するとともに排水手段により水槽内の水を排水し、水槽内に送風する送風手段と加熱手段とを連通し、水槽内を除湿する除湿手段と冷却水ホースを連通し、冷却水ホースを介して除湿手段に冷却水給水手段より給水するよう構成し、冷却水ホースと除湿手段の経路の一部に貯水部を設け、貯水部を大気開放としたものである。
【００１１】
これにより、冷却水ホースの開口部が水没した場合に水道管が負圧になっても、洗濯水や泡の浄水へ逆流するのを阻止することができ、浄水を汚染するのを防止することができる。
【００１２】
【発明の実施の形態】
本発明の請求項１に記載の発明は、略水平方向または略傾斜方向に回転中心軸を有する回転ドラムと、前記回転ドラムを内包する水槽と、前記水槽の開口部に設けたドアと、前記水槽内に給水する給水手段と、前記水槽内の水を排水する排水手段と、前記水槽内に送風する送風手段と、前記送風手段と連通した加熱手段と、前記水槽内を除湿する除湿手段と、前記除湿手段と連通した冷却水ホースと、前記冷却水ホースを介して前記除湿手段に給水する冷却水給水手段とを備え、前記冷却水ホースと前記除湿手段の経路の一部に貯水部を設け、前記貯水部を大気開放としたものであり、洗濯行程に給水するとき、水位検知手段が故障したり、誤動作をすると冷却ホースの水槽側への開口部が水没する場合があり、また、洗濯時に洗濯水による泡が立ちすぎると、同様に開口部が泡に没することとなり、この状態で水道管が負圧になった場合、冷却水ホースを冷却水給水手段に直結していると、冷却水ホースを介して洗濯水や泡が浄水の配管内へ侵入していくことになるが、冷却水ホースのと除湿手段の経路の一部に貯水部を設け、大気に開放することにより負圧を逃がし、洗濯水や泡の浄水への逆流現象を阻止することができ、浄水を汚染するのを防止することができる。
【００１３】
請求項２に記載の発明は、上記請求項１に記載の発明において、冷却水ホースを冷却水給水手段と直結し、除湿手段との間で大気に開放したバイパスを設けたものであり、冷却水ホース内が負圧になるのを防ぐことができ、洗濯水や泡の逆流現象を阻止することができる。これによって浄水を汚染するのを防止することができる。
【００１４】
請求項３に記載の発明は、上記請求項１または２に記載の発明において、冷却水ホースを途中で分岐し、複数の除湿手段に給水するように構成したものであり、１つの冷却水給水手段で複数の除湿手段を機能させることができ、節水に寄与するとともに広範囲で効率的な熱交換を行うことができ、乾燥性能を向上することができる。
【００１５】
請求項４に記載の発明は、上記請求項１または２に記載の発明において、貯水部の位置を除湿手段より高くしたものであり、水道と冷却水給水手段とを直結して得られる水圧を必要とせず、ヘッドの差によって一定流量の冷却水を連続的に除湿手段に給水することができる。
【００１６】
請求項５に記載の発明は、上記請求項１または２に記載の発明において、貯水部から除湿手段までの冷却水ホースの引き回しを、常に徐々に低くしたものであり、冷却水ホース内への残水をなくすることができ、冬季の凍結による機能障害や冷却水ホースの破裂を防止することができる。
【００１７】
請求項６に記載の発明は、上記請求項３に記載の発明において、冷却水ホースの分岐路を左右対称に構成したものであり、複数の除湿手段に均等量給水することができ、安定した除湿性能を得ることができる。
【００１８】
【実施例】
以下、本発明の実施例について、図面を参照しながら説明する。なお、従来例と同じ構成のものは同一符号を付して説明を省略する。
【００１９】
（実施例１）
図１に示すように、貯水部２０は、熱交換器（除湿手段）２１に連通し、冷却水用給水弁（冷却水給水手段）１１により熱交換器２１に給水する冷却水ホース２２の経路の一部に設け、貯水部２０を大気開放としている。
【００２０】
ここで、貯水部２０の位置を熱交換器２１より高くし、貯水部２０から熱交換器２１までの冷却水ホース２２の引き回しを、常に徐々に低くなるようにしている。
【００２１】
上記構成において作用を説明する。洗濯行程にて給水すると水槽４内の水位が上がり、水槽４と連結している熱交換器２１内へ水が侵入し、熱交換器２１内の水位も同時に上がる。通常水位は、水位設定手段（図示せず）により冷却水ホース２２の開口部２２ａより下に設定されるが、水位検知手段（図示せず）が故障したり、誤動作をすると冷却ホース２２の水槽４側への開口部２２ａが水没する場合がある。また、洗濯時に洗濯水による泡が立ちすぎると同じく開口部２２ａが泡に没することとなる。
【００２２】
この状態で水道管２３が負圧になった場合、貯水部２０において冷却水ホース２２は大気に開放されているため、水道管２３が負圧になっても、洗濯水や泡が水道管２３内へ逆流現象を起こすことがない。
【００２３】
このように本実施例によれば、冷却水ホース２２と熱交換器２１の経路の一部に貯水部２０を設け、貯水部２０を大気開放としたので、冷却水ホース２２の開口部２２ａが水没した場合に水道管２３が負圧になっても、洗濯水や泡の浄水へ逆流するのを阻止することができ、浄水を汚染するのを防止することができ、衛生面で信頼性の高いドラム式洗濯機を提供することができる。
【００２４】
また、貯水部２０の位置を熱交換器２１より高くすることによって、水道管２３と冷却水用給水弁１１とを直結して得られる水圧を必要とせず、ヘッドの差Ｈによって一定流量の冷却水を、連続的に熱交換器２１に給水することができる。
【００２５】
また、貯水部２０から熱交換器２１までの冷却水ホース２２の引き回しを、常に徐々に低くなるようにすることによって、冷却水ホース２２内の残水をなくし、冬季の凍結による機能障害や冷却水ホース２２の破裂を防止することができる。
【００２６】
（実施例２）
図２に示すように、冷却水ホース２２を冷却水用給水弁１１と直結し、冷却水ホース２２の途中に分岐ジョイント２４を取り付け、片方の経路を大気に開放したバイパス２５を設けている。他の構成は上記実施例１と同じである。
【００２７】
上記構成において作用を説明する。洗濯行程にて給水すると水槽４内の水位が上がり、水槽４と連結している熱交換器２１内へ水が侵入し、熱交換器２１内の水位も同時に上がる。通常水位は、水位設定手段（図示せず）により冷却水ホース２２の開口部２２ａより下に設定されるが、水位検知手段（図示せず）が故障したり、誤動作をすると冷却ホース２２の水槽４側への開口部２２ａが水没する場合がある。また、洗濯時に洗濯水による泡が立ちすぎると同じく開口部２２ａが泡に没することとなる。
【００２８】
ここで、冷却水ホース２２の途中に分岐ジョイント２４を取り付け、片方の経路を大気に開放しているため、水道管２３が負圧になっても、洗濯水や泡が水道管２３内へ逆流現象を起こすことがない。
【００２９】
このように本実施例によれば、冷却水ホース２２を冷却水用給水弁１１と直結し、冷却水ホース２２の途中に分岐ジョイント２４を取り付け、片方の経路を大気に開放したバイパス２５を設けているので、水道管２３が負圧になっても、冷却水ホース２２内が負圧になるのを防ぐことができ、洗濯水や泡の逆流現象を阻止することができ、浄水を汚染するのを防止することができる。
【００３０】
（実施例３）
図３に示すように、冷却水ホース２６は、冷却水用給水弁１１により複数の熱交換器２１、２７に給水するもので、途中で分岐させて、複数の熱交換器２１、２７に給水できるように構成している。
【００３１】
ここで、図４に示すように、冷却水ホース２６の分岐ジョイント２８を左右対称に構成している。他の構成は上記実施例１または２と同じである。
【００３２】
上記構成において作用を説明する。乾燥行程にて、蒸気を含む高温の空気は熱交換器２１、２７内に送られ、冷却水用給水弁１１から冷却水ホース２６を介して、熱交換器２１、２７内に供給された冷却水と混合し、熱交換を行い冷却除湿することができる。
【００３３】
このように本実施例によれば、冷却水ホース２６を途中で分岐し、複数の熱交換器２１、２７に給水できるように構成したので、１つの冷却水用給水弁１１で複数の熱交換器２１、２７を機能させることができ、節水に寄与するとともに広範囲で効率的な熱交換を行うことができ、乾燥性能を向上することができる。
【００３４】
また、冷却水ホース２６の分岐ジョイント２８を左右対称に構成しているので、複数の熱交換器２１、２７にそれぞれ均等量給水することができ、安定した熱交換性能を得ることができる。
【００３５】
【発明の効果】
以上のように本発明の請求項１に記載の発明によれば、冷却水ホースと除湿手段の経路の一部に貯水部を設け、貯水部を大気開放としたから、冷却水ホースの開口部が水没した場合に水道管が負圧になっても、洗濯水や泡が水道管内への逆流するのを阻止することができ、浄水を汚染するのを防止することができ、信頼性の高いドラム式洗濯乾燥機を提供することができる。
【図面の簡単な説明】
【図１】本発明の第１の実施例のドラム式洗濯乾燥機の縦断面図
【図２】本発明の第２の実施例のドラム式洗濯乾燥機の縦断面図
【図３】本発明の第３の実施例のドラム式洗濯乾燥機の縦断面図
【図４】同ドラム式洗濯乾燥機の一部切欠した要部拡大側面図
【図５】従来のドラム式洗濯機の縦断面図
【符号の説明】
４  水槽
５  ドア
６  回転ドラム
１０  洗濯用給水弁（給水手段）
１１  冷却水用給水弁（冷却水給水手段）
１３  排水ポンプ（排水手段）
１６  送風機（送風手段）
１７  ヒータ（加熱手段）
２０  貯水部
２１  熱交換器（除湿手段）
２２  冷却水ホース
【図１】
2004344373.tif 000003
【図２】
2004344373.tif 000004
【図３】
2004344373.tif 000005
【図４】
2004344373.tif 000006
【図５】
2004344373.tif 000007